(57)【要約】【課題】  電子タグに記憶される識別データを用いて情報伝達を行う際に、個人のプライバシを保護する。【解決手段】  ＩＤを記憶する記憶手段を備えた電子タグ１０１と、ＩＤの各々に対応する情報を格納するメッセージテーブル１０２，１０３と、電子タグ１０１のＩＤをメッセージテーブル１０２に登録されているＩＤを基に書換え可能な電子タグ書き込み手段を有する携帯端末１００と、電子タグ１０１からＩＤを読み取り可能な電子タグリーダ１０５と、電子タグリーダ１０５により読み取られたＩＤに基づいてメッセージテーブル１０３から対応する情報を取得するシステムサーバ１０４とを備えたことを特徴とする。【選択図】    図１
2005293148.tif 000002
【特許請求の範囲】
【請求項１】
識別データを記憶する記憶手段を備えた電子タグと、
識別データの各々に対応する情報を格納する情報テーブルと、
前記電子タグの識別データを、前記情報テーブルに登録されている識別データを基に書換え可能な電子タグ書き込み手段と、
前記電子タグから識別データを読み取り可能な電子タグリーダと、
前記電子タグリーダにより読み取られた識別データに基づいて前記情報テーブルから対応する情報を取得する情報取得手段と、
を備えたことを特徴とする情報伝達システム。
【請求項２】
前記電子タグ書き込み手段は、ユーザからの入力情報を前記情報テーブルに基づいて前記電子タグ設定用の識別データに変換することを特徴とする請求項１に記載の情報伝達システム。
【請求項３】
前記電子タグ書き込み手段は携帯端末に具備されることを特徴とする請求項２に記載の情報伝達システム。
【請求項４】
前記電子タグは前記携帯端末に具備されることを特徴とする請求項３に記載の情報伝達システム。
【請求項５】
前記電子タグ及び電子タグ書き込み手段は環境設備に具備されることを特徴とする請求項１又は２に記載の情報伝達システム。
【請求項６】
前記情報テーブルは、前記電子タグ書き込み手段側と前記情報取得手段側とに各々同じものが設けられることを特徴とする請求項１から５のいずれかの項に記載の情報伝達システム。
【請求項７】
ユーザからの更新情報に基づいて前記情報テーブルの登録内容を更新する更新手段を備えたことを特徴とする請求項１から５のいずれかの項に記載の情報伝達システム。
【請求項８】
前記更新手段は前記携帯端末に具備されることを特徴とする請求項７に記載の情報伝達システム。
【請求項９】
前記情報取得手段側に設けられた情報テーブル内の情報を通信回線を介してダウンロードし、前記電子タグ書き込み手段側に設けられた情報テーブルを更新する更新手段を備えたことを特徴とする請求項６に記載の情報伝達システム。
【請求項１０】
前記電子タグリーダ及び前記情報取得手段は携帯端末に具備されることを特徴とする請求項１から９に記載の情報伝達システム。
【請求項１１】
前記電子タグリーダは、前記電子タグに対して放送形式で識別データを要求し、
前記電子タグは該要求に対して応答することを特徴とする請求項１から１０に記載の情報伝達システム。
【請求項１２】
前記電子タグは、アクティブに識別データを発信するものであることを特徴とする請求項１から１０のいずれかの項に記載の情報伝達システム。
【請求項１３】
前記電子タグは、前記電子タグ書き込み手段により設定された複数の識別データを巡回して発信することを特徴とする請求項１２に記載の情報伝達システム。
【請求項１４】
前記電子タグ書き込み手段は複数の識別データを巡回して前記電子タグに設定することを特徴とする請求項１２に記載の情報伝達システム。
【請求項１５】
識別データを記憶する記憶手段と前記識別データを発信する無線送信手段とを備えた電子タグと、
前記電子タグの識別データを書換え可能な電子タグ書き込み手段と、
を携帯端末に具備したことを特徴とする情報送信装置。
【請求項１６】
識別データの各々に対応する情報を格納する情報テーブルと、
電子タグから識別データを読み取り可能な電子タグリーダと、
前記電子タグリーダにより読み取られた識別データに基づいて前記情報テーブルから対応する情報を取得する情報取得手段と、
を携帯端末に具備したことを特徴とする情報受信装置。
【発明の詳細な説明】
【技術分野】
【０００１】
本発明は、電子タグを用いた情報伝達システム、情報送信装置、情報受信装置に関する。
【背景技術】
【０００２】
電子タグは、それぞれの電子タグを識別することが可能なＩＤ番号などの識別データを記憶するメモリを備えている。そして、外部の電子タグリーダから例えば非接触で該ＩＤ番号を読み取ることができるようになっている。近年、携帯端末に電子タグリーダを備えて物品等に貼付された電子タグからＩＤ番号を読み取り、このＩＤ番号に関係付けられた情報を携帯端末が取得するシステムの検討がなされている。これにより、物流管理や物の情報管理などが容易になる。例えば、食肉加工品の生産加工履歴などを売場で消費者の携帯端末に表示できるようにすれば、消費者は商品の安全性などを購入時に容易に確認することができる。
【０００３】
また、ある場所に設置された電子タグリーダが携帯端末に装着された電子タグのＩＤ番号を読み取ったときに、該読み取られたＩＤ番号に基づいて該当する携帯端末にユーザのいる状況（時刻、場所など）に応じた電子メールを送信するシステム（例えば、特許文献１参照）や、ＩＤ番号を読み取った電子タグリーダの設置場所の位置情報に基づいて携帯端末を持っているユーザの位置を検出するシステムなどの検討が行われている。
【特許文献１】特開２００３−２７１７７３号公報
【発明の開示】
【発明が解決しようとする課題】
【０００４】
しかし、上述した従来の技術では、物流管理や物の情報管理などが容易になる反面、常に電子タグの行方がトレースされることから、電子タグが貼付された物を利用するユーザのプライバシが侵害される虞を有している。例えば、洋服に電子タグが貼付された場合、第三者が携帯端末の電子タグリーダで洋服の電子タグのＩＤ番号を読み取って洋服の製造業者などの情報を得ることができるので、洋服を着ている人の個人情報が露呈するという危険性がある。また、携帯端末に電子タグを装着する場合、第三者がその電子タグのＩＤ番号を読み取ることにより携帯端末並びにその利用者を識別することができてしまう。
【０００５】
特に、電子タグに固定のＩＤ番号を持たせることにより、例えば書換え不可能な記憶手段にＩＤ番号を記録する場合には、成りすまし等の不正を防止できるという効果が得られる反面、ＩＤ番号を読み取ることによって当該電子タグを有する人を特定できたり、その人の嗜好などの個人的な情報を得ることができたりするというプライバシ上の根本的な問題をはらんでいる。このため、電子タグの普及には個人のプライバシを保護することが重要な課題となっている。
【０００６】
本発明は、このような事情を考慮してなされたもので、その目的は、電子タグに記憶される識別データを用いて情報伝達を行う際に、個人のプライバシを保護することができる情報伝達システムを提供することにある。
【０００７】
また、本発明の他の目的は、本発明の情報伝達システムに適用可能な情報送信装置、情報受信装置を提供することにある。
【課題を解決するための手段】
【０００８】
上記の課題を解決するために、本発明に係る情報伝達システムは、識別データを記憶する記憶手段を備えた電子タグと、識別データの各々に対応する情報を格納する情報テーブルと、前記電子タグの識別データを、前記情報テーブルに登録されている識別データを基に書換え可能な電子タグ書き込み手段と、前記電子タグから識別データを読み取り可能な電子タグリーダと、前記電子タグリーダにより読み取られた識別データに基づいて前記情報テーブルから対応する情報を取得する情報取得手段とを備えたことを特徴としている。
【０００９】
本発明に係る情報伝達システムにおいては、前記電子タグ書き込み手段は、ユーザからの入力情報を前記情報テーブルに基づいて前記電子タグ設定用の識別データに変換することを特徴とする。
【００１０】
本発明に係る情報伝達システムにおいては、前記電子タグ書き込み手段は携帯端末に具備されることを特徴とする。
【００１１】
本発明に係る情報伝達システムにおいては、前記電子タグは前記携帯端末に具備されることを特徴とする。
【００１２】
本発明に係る情報伝達システムにおいては、前記電子タグ及び電子タグ書き込み手段は環境設備に具備されることを特徴とする。
【００１３】
本発明に係る情報伝達システムにおいては、前記情報テーブルは、前記電子タグ書き込み手段側と前記情報取得手段側とに各々同じものが設けられることを特徴とする。
【００１４】
本発明に係る情報伝達システムにおいては、ユーザからの更新情報に基づいて前記情報テーブルの登録内容を更新する更新手段を備えたことを特徴とする。
【００１５】
本発明に係る情報伝達システムにおいては、前記更新手段は前記携帯端末に具備されることを特徴とする。
【００１６】
本発明に係る情報伝達システムにおいては、前記情報取得手段側に設けられた情報テーブル内の情報を通信回線を介してダウンロードし、前記電子タグ書き込み手段側に設けられた情報テーブルを更新する更新手段を備えたことを特徴とする。
【００１７】
本発明に係る情報伝達システムにおいては、前記電子タグリーダ及び前記情報取得手段は携帯端末に具備されることを特徴とする。
【００１８】
本発明に係る情報伝達システムにおいては、前記電子タグリーダは、前記電子タグに対して放送形式で識別データを要求し、前記電子タグは該要求に対して応答することを特徴とする。
【００１９】
本発明に係る情報伝達システムにおいては、前記電子タグは、アクティブに識別データを発信するものであることを特徴とする。
【００２０】
本発明に係る情報伝達システムにおいては、前記電子タグは、前記電子タグ書き込み手段により設定された複数の識別データを巡回して発信することを特徴とする。
【００２１】
本発明に係る情報伝達システムにおいては、前記電子タグ書き込み手段は複数の識別データを巡回して前記電子タグに設定することを特徴とする。
【００２２】
本発明に係る情報送信装置は、識別データを記憶する記憶手段と前記識別データを発信する無線送信手段とを備えた電子タグと、前記電子タグの識別データを書換え可能な電子タグ書き込み手段とを携帯端末に具備したことを特徴としている。
【００２３】
本発明に係る情報受信装置は、識別データの各々に対応する情報を格納する情報テーブルと、電子タグから識別データを読み取り可能な電子タグリーダと、前記電子タグリーダにより読み取られた識別データに基づいて前記情報テーブルから対応する情報を取得する情報取得手段とを携帯端末に具備したことを特徴としている。
【発明の効果】
【００２４】
本発明によれば、電子タグに記憶される識別データを用いて情報伝達を行うことができるとともに、個人のプライバシを保護することができる。
【発明を実施するための最良の形態】
【００２５】
以下、図面を参照し、本発明の各実施形態について順次説明する。
図１は、本発明の第１の実施形態に係る情報伝達システムの構成を示すブロック図である。図１において、携帯端末１００はユーザ１１０により使用される。この携帯端末１００は電子タグ１０１やメッセージテーブル１０２などを備えている。電子タグ１０１は識別データ（以下、ＩＤと称する）を記憶する記憶手段などを備える。メッセージテーブル１０２はＩＤの各々に対応する情報を格納する。この実施例では、登録済みの各ＩＤ毎に、ＩＤの意味を表すメッセージがメッセージテーブル１０２に格納されている。
【００２６】
ユーザ１１０は、携帯端末１００を操作して、メッセージテーブル１０２に格納されているメッセージを任意に選択することができる。そして、この選択されたメッセージに対応するＩＤが電子タグ１０１に設定される。このＩＤ設定に係る詳細については後述する。
【００２７】
電子タグリーダ１０５は非接触で電子タグ１０１に記憶されるＩＤを読み取ることができる。
システムサーバ１０４は通信回線を介して電子タグリーダ１０５に接続される。システムサーバ１０４は通信回線を介して電子タグリーダ１０５からＩＤを受信する。また、システムサーバ１０４はメッセージテーブル１０３を備える。上記メッセージテーブル１０２及び１０３は同じものである。システムサーバ１０４は、電子タグリーダ１０５から受信したＩＤについて、その意味を表すメッセージをメッセージテーブル１０３から取得する。そして、この取得したメッセージをサービス提供設備１０６へ通信回線により発信する。
【００２８】
サービス提供設備１０６は、システムサーバ１０４から受信したメッセージに基づいて、当該ユーザに向けたサービス提供を行う。なお、システムサーバ１０４は、ＩＤ送信元である電子タグリーダ１０５の設置場所をサービス提供範囲に含むサービス提供設備１０６へ、当該受信ＩＤに対応するメッセージを発信する。これにより、メッセージの実質的な発信元であるユーザに向けて、該発信されたメッセージに応じたサービスを提供することができる。
【００２９】
図２は、図１に示す携帯端末１００の構成を示すブロック図である。
図２において、携帯端末管理部１１は携帯端末１００の各部を管理する。電源管理部１２は携帯端末１００の電源（バッテリ）を管理する。無線通信部１３は無線通信する機能を有する。例えば、携帯電話網、ＰＨＳ（登録商標）（Personal Handyphone System）と呼ばれる簡易携帯電話網、無線ＬＡＮなどの無線通信網に接続して音声又はデータを送受信する。又は、Ｂｌｕｅｔｏｏｔｈなどの近距離無線通信機能や、ＵＷＢなどの広帯域無線通信機能などを有する。
【００３０】
表示部１４は、表示パネル、例えば液晶表示パネルと、表示制御回路とから構成される。操作部１５は、電話番号等の入力用のテンキー、各種ファンクションキー等を有する。マイク１６は音声信号を入力する。スピーカ１７は音声信号を出力する。入出力デバイス１８は、外付けの入出力機器、例えばプリンタと接続しデータを入出力するためのものである。
【００３１】
携帯端末入出力部１９は、上記した各部１３〜１８及び電子タグ１０１に接続されており、データを入出力する。プログラム実行環境部２０は、ＣＰＵ、メモリ、ストレージ、ＯＳ等から構成される。プログラム実行環境部２０は、アプリケーションプログラムの実行環境を実現する。アプリケーション部２１は、各種の機能２１０１〜２１０５を実現するためのアプリケーションプログラムから構成される。このアプリケーションプログラムがプログラム実行環境部２０で実行されることにより、各機能２１０１〜２１０５が実現される。
【００３２】
機能２１０１は、メッセージテーブル１０２に格納されるメッセージの一覧を表示部１４に表示し、ユーザに対してメッセージの選択を促す。機能２１０２は、メッセージテーブル１０２を参照し、ユーザが操作部１５を操作して選択入力したメッセージに対応するＩＤを検索する。機能２１０３は、登録済みのメッセージと登録済みのＩＤとの対応付けを管理するメッセージテーブル１０２を実現する。機能２１０４は、ＩＤを電子タグ１０１に設定する。機能２１０５は、電子タグ１０１を介したＩＤの送信開始、終了を制御する。
【００３３】
図３は、上記した電子タグ１０１の構成を示すブロック図である。
図３において、送受部３１は、電波を送受信することができ、信号を非接触で送受する。通信部３４は、携帯端末入出力部１９と通信を行う。制御部３２は、通信部３４を介して、携帯端末入出力部１９側からの記憶部３３へのＩＤの書き込みや読み出しを行う。また、制御部３２は、記憶部３３に記憶されたＩＤを送受部３１を介して発信する制御を行う。記憶部３３は上記したＩＤなどを記憶する。
【００３４】
この図３の構成により、電子タグ１０１は電子タグリーダ１０５に対して記憶部３３に記憶しているＩＤを発信するが、この発信制御の例を以下に示す。
例１；制御部３２は、電子タグリーダ１０５からの電波を送受部３１で受信したときに、記憶部３３に記憶しているＩＤを送受部３１を介して電子タグリーダ１０５に対して発信する。
例２；制御部３２は、電子タグリーダ１０５からの問い合わせ信号を送受部３１を介して受信し、この応答として記憶部３３に記憶しているＩＤを発信する。
例３；制御部３２は、常時（連続的或いは間欠的に）、記憶部３３に記憶しているＩＤを送受部３１を介して発信する。すなわち、電子タグリーダ１０５の有無にかかわらず、ＩＤを発信する。
【００３５】
また、制御部３２は、携帯端末入出力部１９からの信号を通信部３４を介して受信し、受信したＩＤにより記憶部３３に記憶されるＩＤを書き換える。なお、この書換えは、ＩＤの全てであってもよく、或いは一部分のみであってもよい。
また、携帯端末入出力部１９と通信部３４間の接続は、非接触方式であってもよく、或いは接触方式であってもよい。非接触方式としては、例えば、無線ＬＡＮ、Ｂｌｕｅｔｏｏｔｈ、ＵＷＢなどが利用可能である。
【００３６】
なお、電子タグ１０１は、電源を持たず、電子タグリーダからの電波を受信することによりＩＤを送信するものであってもよく、或いは電源を持ち、自らアクティブにＩＤを発信するものであってもよい。
【００３７】
図４は、図１に示す電子タグリーダ１０５の構成を示すブロック図である。
図４において、送受部４１は、電波を送信、受信することができ、電子タグ１０１との間で信号を非接触で送受する。制御部４２は、送受部４１を介して電子タグ１０１からＩＤを受信する。受信したＩＤは記憶部４３に保存する。通信部４４は、通信網に接続し、この通信網を介してシステムサーバ１０４との間でデータを送受信する。制御部４２は、電子タグ１０１から受信したＩＤを通信部４４によりシステムサーバ１０４へ送信する。
【００３８】
図５は、図１に示すシステムサーバ１０４の構成を示すブロック図である。
図５において、通信部５１は、通信網に接続し、この通信網を介して電子タグリーダ１０５又はサービス提供設備１０６との間でデータを送受信する。情報取得部５２は、通信部５１により電子タグリーダ１０５から受信したＩＤに基づいて、メッセージテーブル１０３から対応するメッセージを取得する。そして、この取得したメッセージを適当なサービス提供設備１０６へ通信部５１により送信する。
【００３９】
次に、図６を参照して、上記図１の情報伝達システムの動作を説明する。図６は、本発明の第１の実施形態に係る情報伝達処理の流れを示すシーケンス図である。
図６において、先ず、ユーザ１１０が携帯端末１００を操作してメッセージ発信サービスを起動する（ステップＳ１０１）。これにより、携帯端末１００はメッセージテーブル１０２内のメッセージ（ＩＤの意味）一覧を表示する（ステップＳ１０２）。次いで、ユーザ１１０が携帯端末１００を操作してメッセージを選択する（ステップＳ１０３）。これにより、携帯端末１００は、選択されたメッセージに対応するＩＤをメッセージテーブル１０２から検索する（ステップＳ１０４）。次いで、携帯端末１００は、検索して見つかったＩＤを電子タグ１０１に設定し、電子タグ１０１に対してＩＤの送信開始を指示する（ステップＳ１０５）。次いで、電子タグ１０１は、設定されたＩＤにより記憶部３３のＩＤを書換え、記憶部３３のＩＤを送信開始する（ステップＳ１０６）。
【００４０】
図１の例では、ユーザ１１０がフランス人であり、音声案内サービス要求として「仏語要望」のメッセージを選択する。これにより、メッセージテーブル１０２から「仏語要望」のメッセージに対応するＩＤ「１０００」が検索されて電子タグ１０１に設定される。この結果、電子タグ１０１の記憶部３３のＩＤが「１０００」に書き換わる。そして、この書き換わった記憶部３３のＩＤ「１０００」が送信される（図６のステップＳ１０７）。
【００４１】
図６に戻り、次いで、電子タグリーダ１０５は、電子タグ１０１からのＩＤを受信すると、この受信ＩＤをシステムサーバ１０４へ転送する（ステップＳ１０８）。次いで、システムサーバ１０４は、この転送されたＩＤに対応するメッセージをメッセージテーブル１０３から検索する（ステップＳ１０９）。次いで、システムサーバ１０４は、検索して見つかったメッセージをサービス提供設備１０６へ送信する（ステップＳ１１０）。これにより、サービス提供設備１０６は、当該ユーザ１１０に対して、メッセージの内容に応じてカスタマイズされたサービスを提供する（ステップＳ１１１）。図１の例では、メッセージが「仏語要望」であるので、仏語で音声案内を行う。
【００４２】
上述した第１の実施形態によれば、電子タグのＩＤは可変である上、その他にユーザを特定する情報は発信されないので、電子タグから発信されたＩＤに基づいてユーザが特定されることを防止することができる。また、メッセージは基本的にユーザによってセットされるので、ユーザが開示してもよいメッセージのみを提示することにより、意図しないプライバシ侵害をはじめから排除することが可能である。また、メッセージテーブルに格納されるＩＤとメッセージとの対応関係を非開示にすることにより、第三者が、ユーザの発信メッセージの内容をＩＤから特定することはできないので、ユーザの個人情報が露呈することを防止することができる。これにより、電子タグに記憶されるＩＤ（識別データ）を用いて情報伝達を行うことができるとともに、個人のプライバシを保護することができるという優れた効果が得られる。
【００４３】
なお、電子タグは、携帯端末に装着されてもよく、或いは、携帯端末とは別にユーザに具備されてもよい。
【００４４】
また、携帯端末１００がシステムサーバ１０４からメッセージテーブル１０３内の情報を通信回線を介してダウンロードし、自己のメッセージテーブル１０２を更新するようにしてもよい。
【００４５】
また、上記第１の実施形態においては、携帯端末１００の無線通信部１３は必須ではなく、携帯端末は無線通信手段を具備していなくてもよい。例えば、ＰＤＡ（Personal Digital Assistants：個人用情報機器）やコンピュータゲーム端末などの通信手段を具備しない携帯型の端末であってもよい。
【００４６】
次に、第２の実施形態を説明する。
図７は、本発明の第２の実施形態に係る情報伝達システムの構成を示すブロック図である。図８は、図７に示す携帯端末１００ａの構成を示すブロック図である。これら図７、図８において図１、図２の各部に対応する部分には同一の符号を付け、その説明を省略する。
【００４７】
第２の実施形態においては、図７に示されるように、センタデータベース（センタＤＢ）３００内にメッセージテーブル３０１を備える。このメッセージテーブル３０１は、携帯端末側とシステムサーバ側とで共有されるものである。携帯端末１００ａは、センタＤＢ３００に無線通信回線を介して接続することができる。また、システムサーバ１０４ａは、センタＤＢ３００に通信回線を介して接続することができる。
【００４８】
ユーザ１１０は、携帯端末１００ａからメッセージテーブル３０１に任意のメッセージを登録することができる。この登録メッセージは空きのＩＤに割付けられてメッセージテーブル３０１に格納される。そして、登録メッセージに割付けたＩＤは、携帯端末１００ａに通知されて電子タグ１０１に設定される。また、システムサーバ１０４ａは、電子タグリーダ１０５から受信したＩＤに対応するメッセージをメッセージテーブル３０１から取得する。
【００４９】
図８に示されるように、携帯端末１００ａは、アプリケーション部２１ａに、図２の機能２１０１、２１０２、２１０４、２１０５に加えてさらに機能２１１１〜２１１３を備える。したがって、携帯端末１００ａは、機能２１０３を備えておらず、メッセージテーブル１０２を具備していない。機能２１１１は、ユーザに対してメッセージの入力を促す。機能２１１２は、入力されたメッセージをセンタＤＢ３００に送信する。機能２１１３は、センタＤＢ３００からＩＤを受信する。また、機能２１０１、２１０２は、センタＤＢ３００内のメッセージテーブル３０１を使用する。
【００５０】
また、システムサーバ１０４ａは、上記図５の機能に加えてさらに、電子タグリーダ１０５から受信したＩＤをセンタＤＢ３００に送信する機能と、センタＤＢ３００からメッセージを受信する機能とを備える。但し、メッセージテーブル１０３を具備していない。また、情報取得部５２は、センタＤＢ３００内のメッセージテーブル３０１からＩＤに対応するメッセージを取得する。
【００５１】
次に、図９を参照して、上記図７の情報伝達システムの動作を説明する。図９は、本発明の第２の実施形態に係る情報伝達処理の流れを示すシーケンス図である。
【００５２】
図９において、先ず、ユーザ１１０が携帯端末１００ａを操作してメッセージ発信サービスを起動する（ステップＳ２０１）。これにより、携帯端末１００ａは、メッセージの入力を促す画面を表示する（ステップＳ２０２）。次いで、ユーザ１１０が携帯端末１００ａを操作してメッセージを入力する（ステップＳ２０３）。これにより、携帯端末１００ａは、入力メッセージをセンタＤＢ３００へ無線送信してメッセージ登録を要求する（ステップＳ２０４）。このメッセージ登録要求により、センタＤＢ３００は、空きのＩＤを選択し、携帯端末１００ａから受信したメッセージと空きＩＤを対応付けてメッセージテーブル３０１に登録する（ステップＳ２０５）。
【００５３】
次いで、センタＤＢ３００は、登録したＩＤを携帯端末１００ａへ送信してメッセージ登録を受け付けたことを通知する（ステップＳ２０６）。この通知を受けると、携帯端末１００ａは、センタＤＢ３００から受信したＩＤを電子タグ１０１に設定し、電子タグ１０１に対してＩＤの送信開始を指示する（ステップＳ２０７）。次いで、電子タグ１０１は、設定されたＩＤにより記憶部３３のＩＤを書換え、記憶部３３のＩＤを送信開始する（ステップＳ２０８）。
【００５４】
図７の例では、ユーザ１１０がメッセージ「仏語要望」を入力する。このメッセージ「仏語要望」は携帯端末１００ａからセンタＤＢ３００へ送信される。そして、該メッセージ「仏語要望」は空きのＩＤ「１０００」に割付けられてメッセージテーブル３０１に格納される。次いで、登録受付通知により、そのＩＤ「１０００」が携帯端末１００ａに受信されて電子タグ１０１に設定される。この結果、電子タグ１０１の記憶部３３のＩＤが「１０００」に書き換わる。そして、この書き換わった記憶部３３のＩＤ「１０００」が送信される（図９のステップＳ２０９）。
【００５５】
図９に戻り、次いで、電子タグリーダ１０５は、電子タグ１０１からのＩＤを受信すると、この受信ＩＤをシステムサーバ１０４ａへ転送する（ステップＳ２１０）。次いで、システムサーバ１０４ａは、この転送されたＩＤをセンタＤＢ３００へ送信して当該ＩＤに対応するメッセージを検索要求する（ステップＳ２１１）。これにより、センタＤＢ３００は、システムサーバ１０４ａから受信したＩＤに対応するメッセージをメッセージテーブル３０１から検索する（ステップＳ２１２）。次いで、センタＤＢ３００は、検索して見つかったメッセージをシステムサーバ１０４ａへ応答する（ステップＳ２１３）。次いで、システムサーバ１０４ａは、センタＤＢ３００から応答されたメッセージをサービス提供設備１０６へ送信する（ステップＳ２１４）。これにより、サービス提供設備１０６は、当該ユーザ１１０に対して、メッセージの内容に応じてカスタマイズされたサービスを提供する（ステップＳ２１５）。
【００５６】
上述した第２の実施形態によれば、ユーザが任意にメッセージテーブルを更新することができるので、発信するメッセージの自由度が向上し、ユーザの利便性が高まる。
【００５７】
なお、センタＤＢ３００が、上記ステップ２１２の検索終了後、見つかったＩＤとメッセージの組をメッセージテーブル３０１から削除するようにしてもよい。これにより、ＩＤとメッセージの組をメッセージ発信の都度、使い捨てにすることができるので、メッセージ内容の秘匿性が高まる。
【００５８】
次に、第３の実施形態を説明する。
図１０は、本発明の第３の実施形態に係る情報伝達システムの構成を示すブロック図である。図１１は、図１０に示す携帯端末１００ｂの構成を示すブロック図である。これら図１０、図１１において図１、図２の各部に対応する部分には同一の符号を付け、その説明を省略する。
【００５９】
第３の実施形態においては、図１０に示されるように、携帯端末Ｂ＿１００ｂは電子タグリーダ１０５と、図１のシステムサーバ１０４の機能とを備えている。これにより、携帯端末Ｂ＿１００ｂは、ユーザ１１０の携帯端末Ａ＿１００ｂの電子タグ１０１から発信されたＩＤを受信し、この受信ＩＤに対応するメッセージをメッセージテーブル１０３から取得する。
【００６０】
図１１に示されるように、携帯端末１００ｂは、図２の構成に加えてさらに電子タグリーダ１０５を備える。また、アプリケーション部２１ａに、図２の機能２１０１〜２１０５に加えてさらに機能２１２１〜２１２３を備える。機能２１２１は、電子タグリーダ１０５により自携帯端末１００ｂの外部の電子タグ１０１からのＩＤを受信する。機能２１２２は、メッセージテーブル１０３を参照し、その受信ＩＤに対応するメッセージを検索する。機能２１２３は、電子タグリーダ１０５の受信開始終了を制御する。この機能２１２３は、自携帯端末１００ｂの電子タグ１０１がＩＤを送信中の場合に電子タグリーダ１０５の受信を停止する。これにより、自携帯端末１００ｂの電子タグ１０１からのＩＤを誤受信することが防止される。また、機能２１０３により、メッセージテーブル１０２及び１０３が一つのメッセージテーブルとして実現される。
【００６１】
図１２は、本発明の第３の実施形態に係る情報伝達処理の流れを示すシーケンス図である。この図１２において図６の各ステップに対応する部分には同一の符号を付けている。
図１２においては、上記図６と略同様の手順で情報伝達が行われる。但し、ステップＳ１０８は、携帯端末Ｂ＿１００ｂ内で閉じた処理となっている。そして、携帯端末Ｂ＿１００ｂのユーザは、ステップＳ１０９で取得されたメッセージを表示させたり、或いは音声出力させたりすることができる。
【００６２】
上述した第３の実施形態によれば、各携帯端末１００ｂが電子タグリーダ及びシステムサーバとして機能するので、電子タグリーダ及びシステムサーバを環境側に設備する負担が軽減可能となる。例えば駅構内などの広範囲なエリアをカバーするように電子タグリーダを設備するには大きなコストがかかり、サービス事業者にとって大きな負担となるが、本実施形態によればその事業者の負担を大きく軽減することができる。また、携帯端末１００ｂ間におけるピアツーピア通信を実現することができる。
【００６３】
なお、携帯端末１００ｂは、自己の電子タグリーダで読み取ったＩＤを外部のシステムサーバへ送信するようにしてもよい。この場合、携帯端末１００ｂからシステムサーバ機能を削除してもよい。
また、各携帯端末間でＩＤを中継するように構成してもよい。
【００６４】
なお、上述したいずれの場合においても、メッセージ発信元のユーザが特定されることは防止される。また、ユーザの個人情報が露呈することも防止されるので、ユーザ個人のプライバシは保護される。
【００６５】
次に、第４の実施形態を説明する。
図１３は、本発明の第４の実施形態に係る情報伝達システムの構成を示すブロック図である。図１４は、図１３に示す携帯端末１００ｃの構成を示すブロック図である。これら図１３、図１４において図７、図８、図１０、図１１の各部に対応する部分には同一の符号を付け、その説明を省略する。
【００６６】
第４の実施形態は、図１３、図１４に示されるように、上記第２及び第３の実施形態を組み合わせた構成である。但し、図１４において、携帯端末１００ｃは、アプリケーション部２１ａに機能２１３１をさらに備えている。この機能２１３１は、上記第２の実施形態に係るシステムサーバ１０４ａの機能であり、電子タグリーダ１０５から受信したＩＤをセンタＤＢ３００に送信するものである。
【００６７】
図１５は、本発明の第４の実施形態に係る情報伝達処理の流れを示すシーケンス図である。この図１５において図９の各ステップに対応する部分には同一の符号を付けている。
図１５においては、上記図９と略同様の手順で情報伝達が行われる。但し、ステップＳ２１０は、携帯端末Ｂ＿１００ｃ内で閉じた処理となっている。また、ステップＳ２１１、Ｓ２１３では、携帯端末Ｂ＿１００ｃから無線通信回線を介してセンタＤＢ３００に対する問合せ及びその応答が行われる。
【００６８】
これにより、情報発信元の携帯端末Ａ＿１００ｃと情報取得側の携帯端末Ｂ＿１００ｃは、センタＤＢ３００のメッセージテーブル３０１を共有して情報のやり取りを行う。また、情報発信元の携帯端末Ａ＿１００ｃは、ユーザからのメッセージ入力によりメッセージテーブル３０１を更新する。また、情報取得側の携帯端末Ｂ＿１００ｃは、自己の電子タグリーダ１０５により携帯端末Ａ＿１００ｃの電子タグ１０１からＩＤを受信し、この受信ＩＤを基にメッセージテーブル３０１からメッセージを取得する。携帯端末Ｂ＿１００ｃのユーザは、該取得したメッセージを表示させたり、或いは音声出力させたりすることができる。
【００６９】
次に、第５の実施形態を説明する。
図１６は、本発明の第５の実施形態に係る情報伝達システムの構成を示すブロック図である。この図１６では情報発信側の構成のみを示している。図１６において図１の各部に対応する部分には同一の符号を付け、その説明を省略する。
【００７０】
第５の実施形態では、図１６に示されるように、電子タグ１０１ａが複数のＩＤを巡回して発信する。電子タグ１０１ａは定期的にＩＤをアクティブに発信するものである。図１６の実施例では、３つのＩＤ「０００１」、「００１０」、「０１００」が順番に巡回して電子タグ１０１ａから発信されている。
【００７１】
図１７は、本発明の第５の実施形態に係る情報伝達処理の流れを示すシーケンス図である。この図１７ではＩＤ発信までのステップのみを示している。図１７において図６の各ステップに対応する部分には同一の符号を付けている。
図１７においては、上記図６と略同様の手順で情報伝達が行われる。但し、ステップＳ１０３では、ユーザ１１０が複数のメッセージを選択する。そして、ステップＳ１０４では、携帯端末１００は、その選択された複数のメッセージの各々に対応するＩＤをメッセージテーブル１０２から検索する。ステップＳ１０５では、検索した複数のＩＤを電子タグ１０１ａに設定し、ＩＤ送信を指示する。この指示により、電子タグ１０１ａは、それら設定された複数のＩＤを順番に巡回して発信する（ステップＳ１０６、Ｓ１０７）。これにより、電子タグ１０１ａからの複数のＩＤが電子タグリーダ１０５により受信されてシステムサーバ１０４へ転送される。そして、システムサーバ１０４によって、それら複数のＩＤに対応する各メッセージが取得される。
【００７２】
上述した第５の実施形態によれば、ユーザは複数のメッセージを発信することができる。
【００７３】
なお、携帯端末が複数のＩＤを順番に巡回して電子タグに設定するようにしてもよい。これにより、電子タグからは複数のＩＤが順番に巡回して発信される。
【００７４】
上述したように本発明に係る実施形態によれば、電子タグに記憶されるＩＤ（識別データ）を用いて情報伝達を行うことができるとともに、個人のプライバシを保護することができる。
【００７５】
以上、本発明の実施形態を図面を参照して詳述してきたが、具体的な構成はこの実施形態に限られるものではなく、本発明の要旨を逸脱しない範囲の設計変更等も含まれる。
例えば、上述した実施形態では、ＩＤに対応付けてメッセージを情報テーブル（メッセージテーブル）に格納したが、ＩＤに対応付ける情報はこれに限定されない。例えば、情報の所在を示すもの、例えばＵＲＬ（Uniform Resource Locator）等のアドレス情報などであってもよい。
【００７６】
また、電子タグは環境側に設置されるものであってもよい。図１８に、電子タグが環境側に設置された場合の情報伝達システムのブロック構成図を示す（第６の実施形態）。この図１８は上記図１３と略同様の構成であるが、図１８ではシステムサーバ４００が電子タグ１０１を具備している。すなわち、システムサーバ４００が情報発信元であり、携帯端末１００ｃが情報取得側となる。
【００７７】
図１８において、システムサーバ４００は、センタＤＢ３００にアクセスしてメッセージ登録要求を行い、メッセージテーブル３０１の空きＩＤに新規メッセージ“滑りやすい”を登録する（ステップＳ２０４）。次いで、センタＤＢ３００からの登録受付を登録されたＩＤ“１０００”とともに受信すると、システムサーバ４００は、該ＩＤ“１０００”を電子タグ１０１に設定する（ステップＳ２０７）。これにより、電子タグ１０１はＩＤ“１０００”を発信する。
【００７８】
次いで、ユーザ１１０が携帯端末１００ｃを持ってシステムサーバ４００の設置場所に到達すると、携帯端末１００ｃの電子タグリーダ１０５が電子タグ１０１からＩＤ“１０００”を読み取る。次いで、携帯端末１００ｃはこの読み取ったＩＤ“１０００”によりセンタＤＢ３００に対してメッセージ検索を依頼し（ステップＳ２１１）、検索結果のメッセージ内容“滑りやすい”を受信する（ステップＳ２１３）。次いで、携帯端末１００ｃは該メッセージ内容“滑りやすい”を画面に警告表示する。この画面表示により、ユーザ１１０は、現在居る場所が滑りやすいところであることを認識することができる。
【００７９】
この第６の実施形態によれば、環境側から任意のメッセージを発信することが可能となる。例えば、現在位置がどこであるのかを示したり、その場所で利用可能なサービス（無線ＬＡＮ使用可能など）を案内したりすることができる。また、発信するメッセージを動的に変更することも可能である。例えば現在の天気（晴れ、雨、雪、雷等）や、時間帯などに応じたメッセージを発信するようにしてもよい。
【００８０】
また、電子タグリーダが不特定の電子タグに対して放送形式でＩＤ読み取りを要求し、この要求に電子タグが応答するようにしてもよい。図１９に、電子タグリーダが放送形式でＩＤ読み取りを要求する場合の情報伝達システムのブロック構成図を示す（第７の実施形態）。この図１９において、電子タグリーダ１０５はアンテナ５０１を備えている。このアンテナ５０１により、ある程度の範囲内（例えば半径数メートルの範囲内）に存在する電子タグ１０１に対して電波を送受信することができる。
【００８１】
図１９において、電子タグリーダ１０５はアンテナ５０１により放送形式でＩＤ要求を送信する。この要求を受信した携帯端末１００の電子タグ１０１は、自己に設定されているＩＤを応答する。図１９の例では、３台の携帯端末１００がＩＤ要求を受信し、それぞれに各ＩＤ“１０００”、“００１１”、“０１００”を応答する。電子タグリーダ１０５は、各携帯端末１００の電子タグ１０１から応答されたＩＤを受信し、これらＩＤをシステムサーバ１０４へ送信する。これにより、同時に複数の電子タグのＩＤを効率良く読み取ることができる。
【００８２】
また、本発明に係る情報伝達システムは、上述したようにユーザのプライバシ保護の観点から説明されているが、逆にサービス、或いはユーザの意図によっては、ユーザＩＤをはっきり明示してメッセージを発信するようにしてもよい。例えば、各ユーザに固定のＩＤを割り当てておき、このＩＤに対応するメッセージをメッセージテーブルに書き込む。そして、システムサーバにＩＤとユーザの対応関係を予め設定することにより、ユーザとメッセージとを対応付けることが可能である。
【図面の簡単な説明】
【００８３】
【図１】本発明の第１の実施形態に係る情報伝達システムの構成を示すブロック図である。
【図２】図１に示す携帯端末１００の構成を示すブロック図である。
【図３】図１に示す電子タグ１０１の構成を示すブロック図である。
【図４】図１に示す電子タグリーダ１０５の構成を示すブロック図である。
【図５】図１に示すシステムサーバ１０４の構成を示すブロック図である。
【図６】本発明の第１の実施形態に係る情報伝達処理の流れを示すシーケンス図である。
【図７】本発明の第２の実施形態に係る情報伝達システムの構成を示すブロック図である。
【図８】図７に示す携帯端末１００ａの構成を示すブロック図である。
【図９】本発明の第２の実施形態に係る情報伝達処理の流れを示すシーケンス図である。
【図１０】本発明の第３の実施形態に係る情報伝達システムの構成を示すブロック図である。
【図１１】図１０に示す携帯端末１００ｂの構成を示すブロック図である。
【図１２】本発明の第３の実施形態に係る情報伝達処理の流れを示すシーケンス図である。
【図１３】本発明の第４の実施形態に係る情報伝達システムの構成を示すブロック図である。
【図１４】図１３に示す携帯端末１００ｃの構成を示すブロック図である。
【図１５】本発明の第４の実施形態に係る情報伝達処理の流れを示すシーケンス図である。
【図１６】本発明の第５の実施形態に係る情報伝達システムの構成を示すブロック図である。
【図１７】本発明の第５の実施形態に係る情報伝達処理の流れを示すシーケンス図である。
【図１８】本発明の第６の実施形態に係る情報伝達システムの構成を示すブロック図である。
【図１９】本発明の第７の実施形態に係る情報伝達システムの構成を示すブロック図である。
【符号の説明】
【００８４】
１３…無線通信部、５２…情報取得部、１００，１００ａ〜ｃ…携帯端末、１０１，１０１ａ…電子タグ、１０２，１０３，３０１…メッセージテーブル、１０４，１０４ａ，４００…システムサーバ、１０５…電子タグリーダ、１０６…サービス提供設備、３００…センタＤＢ、５０１…アンテナ。
【図１】
2005293148.tif 000003
【図２】
2005293148.tif 000004
【図３】
2005293148.tif 000005
【図４】
2005293148.tif 000006
【図５】
2005293148.tif 000007
【図６】
2005293148.tif 000008
【図７】
2005293148.tif 000009
【図８】
2005293148.tif 000010
【図９】
2005293148.tif 000011
【図１０】
2005293148.tif 000012
【図１１】
2005293148.tif 000013
【図１２】
2005293148.tif 000014
【図１３】
2005293148.tif 000015
【図１４】
2005293148.tif 000016
【図１５】
2005293148.tif 000017
【図１６】
2005293148.tif 000018
【図１７】
2005293148.tif 000019
【図１８】
2005293148.tif 000020
【図１９】
2005293148.tif 000021